【手続補正書】
【提出日】平成26年2月3日(2014.2.3)
【手続補正１】
【補正対象書類名】特許請求の範囲
【補正対象項目名】全文
【補正方法】変更
【補正の内容】
【特許請求の範囲】
【請求項１】
インクを吐出する複数のノズルが第１方向に配列されたノズル列が前記第１方向と交差する第２方向に並ぶ複数のノズル列であって、各ノズル列が複数色のインクのいずれかに対応する前記複数のノズル列を備える記録ヘッドを、記録媒体に対して前記第２方向に相対走査させることにより、前記記録媒体上に画像を記録するインクジェット記録装置であって、
前記複数色のインクのうち、第１ブラックインクと、ブラックではない色の第３インクと、前記第３インクとは異なる色で且つブラックではない色の第４インクと、を用いて、前記第１ブラックインクとは異なる第２ブラックインクを用いずに画像を記録する第１モードと、前記第２ブラックインクと、前記第３インクと、前記第４インクと、を用いて、前記第１ブラックインクを用いずに画像を記録する第２モードと、を含む複数のモードの中から１つを選択する選択手段と、
前記選択手段により選択されたモードにより画像を記録する記録制御手段と、
を備え、
前記第３インクに対応するノズル列及び前記第４インクに対応するノズル列は、前記第２方向において前記第１ブラックインクを吐出する第１ノズル列と前記第２ブラックインクを吐出する第２ノズル列との間に配されており、且つ、前記第２方向において前記第１ノズル列に対して前記第２ノズル列が位置する側の反対側及び前記第２ノズル列に対して前記第１ノズル列が位置する側の反対側には配されていないことを特徴とするインクジェット記録装置。
【請求項２】
前記第１ブラックインクは、前記第２ブラックインクよりも記録媒体への浸透特性が低いことを特徴とする請求項１に記載のインクジェット記録装置。
【請求項３】
前記第１モードは第１記録媒体に画像を記録するためのモードであり、前記第２モードは前記第１記録媒体とは異なる第２記録媒体に画像を記録するためのモードであることを特徴とする請求項１または２に記載のインクジェット記録装置。
【請求項４】
前記第１記録媒体は普通紙またはコート紙であり、前記第２記録媒体は光沢紙であることを特徴とする請求項３に記載のインクジェット記録装置。
【請求項５】
前記記録ヘッドには、前記第３インク及び第４インクとは異なる色で且つブラックではない色の第５インクに対応するノズル列が、前記第２方向において前記第１ノズル列に対して前記第２ノズル列の反対側の第１の位置と、前記第２ノズル列に対して前記第１ノズル列の反対側の第２の位置と、のそれぞれにさらに配されており、
前記記録制御手段は、前記第１モードが選択された場合、前記第５インクに対応するノズル列のうち前記第１の位置のノズル列を用いて前記第２の位置のノズル列を用いずに画像を記録し、前記第２モードが選択された場合、前記第５インクに対応するノズル列のうち前記第２の位置のノズル列を用いて前記第１の位置のノズル列を用いずに画像を記録することを特徴とする請求項１から４のいずれか１項に記載のインクジェット記録装置。
【請求項６】
前記複数のモードは、前記第１ブラックインクと、前記第３インクと、前記第４インクと、前記第５インクと、を用いて前記第２ブラックインクを用いずに画像を記録する第３モードと、前記第２ブラックインクと、前記第３インクと、前記第４インクと、前記第５インクと、を用いて前記第１ブラックインクを用いずに画像を記録する第４モードと、を含み、
前記記録制御手段は、前記第３モード及び前記第４モードが選択された場合、前記第５インクに対応する前記第１の位置のノズル列及び前記第５インクに対応する前記第２の位置のノズル列の両方を用いて画像を記録することを特徴とする請求項５に記載のインクジェット記録装置。
【請求項７】
前記記録ヘッドには、前記第３インク及び第４インクとは異なる色で且つブラックではない色の第６インクに対応する複数のノズル列が、前記第２方向において前記第１ノズル列と前記第２ノズル列の間にさらに配されており、
前記記録制御手段は、前記第１モードが選択された場合、前記第６インクに対応するノズル列のうち前記第１ノズル列により近い一方のノズル列を用いて他方のノズル列を用いずに画像を記録し、前記第２モードが選択された場合、前記第６インクに対応するノズル列のうち前記第２ノズル列により近い一方のノズル列を用いて他方のノズル列を用いずに画像を記録することを特徴とする請求項１から６のいずれか１項に記載のインクジェット記録装置。
【請求項８】
前記第３インクはマゼンタインクであり、前記第４インクはイエローインクであることを特徴とする請求項１から７のいずれか１項に記載のインクジェット記録装置。
【請求項９】
前記第５インクは、シアンインクまたは淡シアンインクであることを特徴とする請求項５または６に記載のインクジェット記録装置。
【請求項１０】
前記第６インクは、グレイインクまたは淡マゼンタインクであることを特徴とする請求項７に記載のインクジェット記録装置。
【請求項１１】
前記第１ブラックインクは、色材として顔料を含むインクであり、前記第２ブラックインクは、色材として染料を含むインクであることを特徴とする請求項１から１０のいずれか１項に記載のインクジェット記録装置。
【請求項１２】
インクを吐出する複数のノズルが第１方向に配列されたノズル列が前記第１方向と交差する第２方向に並ぶ複数のノズル列であって、各ノズル列が複数色のインクのいずれかに対応する前記複数のノズル列を備える記録ヘッドを、記録媒体に対して前記第２方向に相対走査させることにより、前記記録媒体上に画像を記録するインクジェット記録方法であって、
前記複数色のインクのうち、第１ブラックインクと、ブラックではない色の第３インクと、前記第３インクとは異なる色で且つブラックではない色の第４インクと、を用いて、前記第１ブラックインクとは異なる第２ブラックインクを用いずに画像を記録する第１モードと、前記第２ブラックインクと、前記第３インクと、前記第４インクと、を用いて、前記第１ブラックインクを用いずに画像を記録する第２モードと、を含む複数のモードの中から１つを選択する工程と、
前記選択手段により選択されたモードにより画像を記録する工程と、
を備え、
前記第３インクに対応するノズル列及び前記第４インクに対応するノズル列は、前記第２方向において前記第１ブラックインクを吐出する第１ノズル列と前記第２ブラックインクを吐出する第２ノズル列との間に配されており、且つ、前記第２方向において前記第１ノズル列に対して前記第２ノズル列が位置する側の反対側及び前記第２ノズル列に対して前記第１ノズル列が位置する側の反対側には配されていないことを特徴とするインクジェット記録方法。
【請求項１３】
インクを吐出する複数のノズルが第１方向に配列されたノズル列が前記第１方向と交差する第２方向に並ぶ複数のノズル列であって、各ノズル列が複数色のインクのいずれかに対応する前記複数のノズル列を備えるインクジェット記録ヘッドであって、
前記複数色のインクは、第１ブラックインクと、前記第１ブラックインクとは異なる第２ブラックインクと、ブラックではない色の第３インクと、前記第３インクとは異なる色で且つブラックではない色の第４インクと、を含み、
前記第３インクに対応するノズル列及び前記第４インクに対応するノズル列は、前記第２方向において前記第１ブラックインクを吐出する第１ノズル列と前記第２ブラックインクを吐出する第２ノズル列との間に配されており、且つ、前記第２方向において前記第１ノズル列に対して前記第２ノズル列が位置する側の反対側及び前記第２ノズル列に対して前記第１ノズル列が位置する側の反対側には配されていないことを特徴とするインクジェット記録ヘッド。
【請求項１４】
前記第１ブラックインクは、前記第２ブラックインクよりも記録媒体への浸透特性が低いことを特徴とする請求項１３に記載のインクジェット記録ヘッド。
【請求項１５】
前記第３インク及び第４インクとは異なる色で且つブラックではない色の第５インクに対応するノズル列が、前記第２方向において前記第１ノズル列に対して前記第２ノズル列の反対側の第１の位置と、前記第２ノズル列に対して前記第１ノズル列の反対側の第２の位置と、のそれぞれにさらに配されていることを特徴とする請求項１３または１４に記載のインクジェット記録ヘッド。
【請求項１６】
前記第３インク及び第４インクとは異なる色で且つブラックではない色の第６インクに対応する複数のノズル列が、前記第２方向において前記第１ノズル列と前記第２ノズル列の間にさらに配されていることを特徴とする請求項１３または１４に記載のインクジェット記録ヘッド。
【請求項１７】
前記第３インクはマゼンタインクであり、前記第４インクはイエローインクであることを特徴とする請求項１３から１６のいずれか１項に記載のインクジェット記録ヘッド。
【請求項１８】
前記第５インクはシアンインクまたは淡シアンインクであることを特徴とする請求項１５に記載のインクジェット記録ヘッド。
【請求項１９】
前記第６インクはグレイインクまたは淡マゼンタインクであることを特徴とする請求項１６に記載のインクジェット記録ヘッド。
【手続補正２】
【補正対象書類名】明細書
【補正対象項目名】発明の名称
【補正方法】変更
【補正の内容】
【発明の名称】インクジェット記録装置、インクジェット記録方法およびインクジェット記録ヘッド
【手続補正３】
【補正対象書類名】明細書
【補正対象項目名】０００８
【補正方法】変更
【補正の内容】
【０００８】
上記課題を解決するため、本発明はインクを吐出する複数のノズルが第１方向に配列されたノズル列が前記第１方向と交差する第２方向に並ぶ複数のノズル列であって、各ノズル列が複数色のインクのいずれかに対応する前記複数のノズル列を備える記録ヘッドを、記録媒体に対して前記第２方向に相対走査させることにより、前記記録媒体上に画像を記録するインクジェット記録装置であって、前記複数色のインクのうち、第１ブラックインクと、ブラックではない色の第３インクと、前記第３インクとは異なる色で且つブラックではない色の第４インクと、を用いて、前記第１ブラックインクとは異なる第２ブラックインクを用いずに画像を記録する第１モードと、前記第２ブラックインクと、前記第３インクと、前記第４インクと、を用いて、前記第１ブラックインクを用いずに画像を記録する第２モードと、を含む複数のモードの中から１つを選択する選択手段と、前記選択手段により選択されたモードにより画像を記録する記録制御手段と、を備え、前記第３インクに対応するノズル列及び前記第４インクに対応するノズル列は、前記第２方向において前記第１ブラックインクを吐出する第１ノズル列と前記第２ブラックインクを吐出する第２ノズル列との間に配されており、且つ、前記第２方向において前記第１ノズル列に対して前記第２ノズル列が位置する側の反対側及び前記第２ノズル列に対して前記第１ノズル列が位置する側の反対側には配されていないことを特徴とする。